(57)【要約】【課題】壁面設置型の浴室用テレビ受像装置を取付ける浴室構造で、ユーザが容易にＣＡＳカードを着脱することができ、且つＣＡＳカードを常に安全な状態で設置する。【解決手段】バスタブ12を内在したバスユニット10と、該ユニット10の内壁面に取付けられ、入力される映像及び音声に基づいた再生出力を行なうモニタ部13と、該ユニット10の外側且つ該ユニット10の上面（天井裏）部分の点検口近傍に設置され、外部のアンテナで受信したデジタルテレビ放送信号中から任意のチャンネルを選局し、当該チャンネルにかけられている視聴制限を解除して放送番組の映像信号と音声信号とを復調するチューナ部14と、該ユニット10外側且つ浴室用の所定のスイッチ部近傍に設置され、チューナ部14と接続されて、デジタルテレビ放送にかけられている視聴制限を解除するための解除情報を記憶したＣＡＳカード19を着脱自在に装着するカード装着部18とを備える。【選択図】      図１
2008022350.tif 000002
【特許請求の範囲】
【請求項１】
バスタブを内在した浴室筐体と、
上記浴室筐体の内壁面に取付けられ、入力される映像信号及び音声信号に基づいた再生出力を行なうモニタ部と、
上記浴室筐体の外側且つ同浴室筐体の上面（天井裏）部分の点検口近傍に設置された、所定の解除情報に基づいて視聴制限を解除して、外部のアンテナで受信したデジタルテレビ放送信号中から任意のチャンネルを選局し、放送番組の映像信号と音声信号とを復調するチューナ部と、
上記浴室筐体外側且つ浴室用の所定のスイッチ部近傍に設置され、上記チューナ部と接続されて、デジタルテレビ放送にかけられている視聴制限を解除するための上記解除情報を記憶したカード状記憶媒体を着脱自在に装着するカード装着部と
を具備したことを特徴とする浴室構造。
【請求項２】
上記カード装着部は、上記チューナ部での所定の動作状態を表示する表示部を併設することを特徴とする請求項１記載の浴室構造。
【請求項３】
上記カード装着部は、上記チューナ部での所定の動作状態を指示する操作部を併設することを特徴とする請求項１記載の浴室構造。
【請求項４】
上記カード装着部は、上記カード状記憶媒体の自在な着脱を阻止する係止部材を有することを特徴とする請求項１記載の浴室構造。
【請求項５】
上記カード装着部は、屋内配線の電気工事用壁面埋込みスイッチボックスを利用して設けられることを特徴とする請求項１記載の浴室構造。
【請求項６】
浴室に設置される浴室用テレビ受像装置であって、
上記浴室の内壁面に取付けられ、入力される映像信号及び音声信号に基づいた再生出力を行なうモニタ部と、
上記浴室の外側且つ同浴室の上面（天井裏）部分の点検口近傍に設置された、所定の解除情報に基づいて視聴制限を解除して、外部のアンテナで受信したデジタルテレビ放送信号中から任意のチャンネルを選局し、放送番組の映像信号と音声信号とを復調するチューナ部と、
上記浴室外側且つ浴室用の所定のスイッチ部近傍に設置され、上記チューナ部と接続されて、デジタルテレビ放送にかけられている視聴制限を解除するための上記解除情報を記憶したカード状記憶媒体を着脱自在に装着するカード装着部と
を具備したことを特徴とする浴室用テレビ受像装置。
【発明の詳細な説明】
【技術分野】
【０００１】
本発明は、特に住宅用のユニットバス等に好適な浴室構造及び浴室用テレビ受像装置に関する。
【背景技術】
【０００２】
従来、壁面設置型の浴室用テレビ受像機で、外部機器から入力される映像音声信号の視聴をも可能とするべく、浴室外に設置した外部入力端子と有線接続され、該外部入力端子に与えられる映像音声信号を入力する外部入力手段と、この外部入力手段より入力される映像音声信号と上記外部テレビアンテナで受信したテレビ電波から復調する映像音声信号の一方を切換選択する選択手段と、上記外部入力手段からの映像音声信号の入力を検出した際に上記選択手段による外部入力への切換を報知する報知手段とを備えるものとした技術が考えられていた。（例えば、特許文献１）
【特許文献１】特開２００５−３０３３８２号公報
【発明の開示】
【発明が解決しようとする課題】
【０００３】
一方で、地上波のテレビ放送はアナログ放送からデジタル放送への転換期にあり、新規に販売されている一般のテレビ受像機も地上波デジタル放送に対応したチューナを搭載したものが主流となっている。
【０００４】
この地上波デジタル放送を受信して視聴できるテレビ受像機では、放送にかけられている視聴制限（コピー制御）を解除するための解除キーが記憶された、Ｂ−ＣＡＳ（Ｃｏｎｄｉｔｉｏｎａｌ  Ａｃｃｅｓｓ  Ｓｙｓｔｅｍ）カード（以下「ＣＡＳカード」）を装着した状態でないと、当該テレビ放送を視聴することができない。
【０００５】
しかるに、上記ＣＡＳカードは、予め製品の装置内に封入するのではなく、製品の購入後にユーザ自身の手でテレビ受像機に設けられた所定のカードスロットに装着することが義務付けられている。
【０００６】
壁面設置型の浴室用テレビ受像機で地上波デジタル放送用のチューナを搭載したものを考える。一般にこの種の受像機は、ユニットバスの壁面等に設置された、全体に防水構造を施したモニタ部と、ユニットバスの外側、例えばユニットバス上面（天井裏部分）の点検口近傍等に固定設置されて、アンテナ、電源及び上記モニタ部と接続されたチューナ部とから構成されている。
【０００７】
上記モニタ部は、上述した如く浴室内の湯水や湿気に対処して防水構造が施されており、ＣＡＳカードの装着部をモニタ部に設けるものとすると、当然ながらカード用スロット部分の複雑な防水構造が必要となる。
【０００８】
しかしながら、そもそもＣＡＳカードは通常のキャッシュカードやクレジットカード等と同様に、内部にＩＣチップを封入し、カード表面に端子を露出されたＩＣカードであり、万が一にもこのようなカードを湯水等で濡れてしまう可能性のあるモニタ部内に装着させること自体、技術的に好ましくない。
【０００９】
同様に、このような浴室用テレビ受像機では、チューナ部は、通常ユーザがその存在すら認識していない、ユニットバス上面（天井裏部分）の点検口近傍等に固定設置されるものであり、塵埃や湿気の点、及びユーザの作業性等の点で、やはりＣＡＳカードを装着するものとしては好ましくない。
【００１０】
本発明は上記のような実情に鑑みてなされたもので、その目的とするところは、壁面設置型の浴室用テレビ受像装置で、ユーザが容易にＣＡＳカードを着脱することができ、且つＣＡＳカードを常に安全な状態で設置することが可能な浴室構造及び浴室用テレビ受像装置を提供することにある。
【課題を解決するための手段】
【００１１】
請求項１記載の発明は、バスタブを内在した浴室筐体と、上記浴室筐体の内壁面に取付けられ、入力される映像信号及び音声信号に基づいた再生出力を行なうモニタ部と、上記浴室筐体の外側且つ同浴室筐体の上面（天井裏）部分の点検口近傍に設置された、所定の解除情報に基づいて視聴制限を解除して、外部のアンテナで受信したデジタルテレビ放送信号中から任意のチャンネルを選局し、放送番組の映像信号と音声信号とを復調するチューナ部と、上記浴室筐体外側且つ浴室用の所定のスイッチ部近傍に設置され、上記チューナ部と接続されて、デジタルテレビ放送にかけられている視聴制限を解除するための上記解除情報を記憶したカード状記憶媒体を着脱自在に装着するカード装着部とを具備したことを特徴とする。
【００１２】
請求項２記載の発明は、上記請求項１記載の発明において、上記カード装着部は、上記チューナ部での所定の動作状態を表示する表示部を併設することを特徴とする。
【００１３】
請求項３記載の発明は、上記請求項１記載の発明において、上記カード装着部は、上記チューナ部での所定の動作状態を指示する操作部を併設することを特徴とする。
【００１４】
請求項４記載の発明は、上記請求項１記載の発明において、上記カード装着部は、上記カード状記憶媒体の自在な着脱を阻止する係止部材を有することを特徴とする。
【００１５】
請求項５記載の発明は、上記請求項１記載の発明において、上記カード装着部は、屋内配線の電気工事用壁面埋込みスイッチボックスを利用して設けられることを特徴とする。
【００１６】
請求項６記載の発明は、浴室に設置される浴室用テレビ受像装置であって、上記浴室の内壁面に取付けられ、入力される映像信号及び音声信号に基づいた再生出力を行なうモニタ部と、上記浴室の外側且つ同浴室の上面（天井裏）部分の点検口近傍に設置された、所定の解除情報に基づいて視聴制限を解除して、外部のアンテナで受信したデジタルテレビ放送信号中から任意のチャンネルを選局し、放送番組の映像信号と音声信号とを復調するチューナ部と、上記浴室外側且つ浴室用の所定のスイッチ部近傍に設置され、上記チューナ部と接続されて、デジタルテレビ放送にかけられている視聴制限を解除するための上記解除情報を記憶したカード状記憶媒体を着脱自在に装着するカード装着部とを具備したことを特徴とする。
【発明の効果】
【００１７】
請求項１記載の発明によれば、例えば壁面設置型の浴室用テレビ受像装置を備えた浴室構造で、ユーザが容易にカード状記憶媒体（ＣＡＳカード）を着脱することができ、且つ浴室外の室内にカード装着部を配設することでＣＡＳカードを常に安全な状態で取扱うことが可能となる。
【００１８】
請求項２記載の発明によれば、上記請求項１記載の発明の効果に加えて、カード装着部にチューナ部での所定の動作状態を表示する表示部を併設することで、例えば電源の投入状態を表示することで電源の切り忘れを浴室外でも容易に視認できる。
【００１９】
請求項３記載の発明によれば、上記請求項１記載の発明の効果に加えて、カード装着部に上記チューナ部での所定の動作状態を指示する操作部を併設することで、例えば浴室外から電源の投入／切断を操作するなど、装置の使い勝手をより向上できる。
【００２０】
請求項４記載の発明によれば、上記請求項１記載の発明の効果に加えて、例えば短期賃貸マンションやアパート等の所有者が契約する法人向けのＣＡＳカードのように、権限を持たないユーザが無闇にＣＡＳカードの着脱を行なってしまうのを未然に防止することができる。
【００２１】
請求項５記載の発明によれば、上記請求項１記載の発明の効果に加えて、住宅建築時のコストを下げると共に、施行を容易にすることができる。
【００２２】
請求項５６記載の発明によれば、例えば壁面設置型の浴室用テレビ受像装置で、ユーザが容易にカード状記憶媒体（ＣＡＳカード）を着脱することができ、且つ浴室外の室内にカード装着部を配設することでＣＡＳカードを常に安全な状態で取扱うことが可能となる。
【発明を実施するための最良の形態】
【００２３】
以下本発明をテレビ受像機を備えたユニットバスの浴室構造に適用した場合の実施の一形態について図面を参照して説明する。
【００２４】
図１は、その全体構成を示すもので、一点鎖線で示す１０が矩形立方体状のバスユニットであり、出入り口となる扉１１とは反対側の内部にバスタブ１２を備える。
【００２５】
バスタブ１２の一方の短辺、より詳細には給湯栓（図示せず）のある入浴者の足側の壁面にモニタ部１３が埋設して固定設置される。
【００２６】
このモニタ部１３は、例えばバックライト付きのカラーＴＦＴ液晶パネル、一対のステレオスピーカ、及びチャンネルやボリューム等の操作キーを設け、それらすべてに防水構造が施されて、浴室内での使用に耐えるものとなっている。
【００２７】
このモニタ部１３に対し、バスユニット１０の壁面外側を介して同バスユニット１０の上面（天井裏）部分に固定設置されたチューナ部１４が図中に破線で示すケーブル１５により接続される。
【００２８】
チューナ部１４は、他に図示しない外部のアンテナ、及びＡＣ電源と接続され、地上アナログ放送及び地上デジタル放送を受信して得られる信号中から任意のチャンネルを選局し、さらに地上波デジタル放送であれば後述するコピー制御に係る解除処理を施した上で映像信号及び音声信号を復調し、上記ケーブル１５を介してモニタ部１３で再生出力させる。
【００２９】
このチューナ部１４は、バスユニット１０の天井部分の点検口１６に近傍に設けられることで、ユーザあるいは業者によりメンテナンス等を行なうことが可能となっている。
【００３０】
加えてチューナ部１４には、ケーブル１７を介してカード装着部１８が接続される。このカード装着部１８は、家屋内でバスユニット１０を収納した浴室外、例えばバスユニット１０の照明や換気を行なうスイッチ部の近傍に設置されて、ユーザが後述するＣＡＳカード１９を任意に着脱可能となる。
【００３１】
図２は、上記図１で示した浴室構造を実際の家屋に施行した場合の一具体例を示すものである。ここでは、バスユニット１０を収納した浴室壁面２１を介在し、さらに隣室壁面２２にカード装着部１８を設置した場合を示す。カード装着部１８は、その前面に開閉可能なカバー１８ａを有し、ユーザがデジタル放送を視聴するために必要なＣＡＳカード１９を任意に装着できるものとする。
【００３２】
図３及び図４は、それぞれ上記カード装着部１８の別の構成例を示すものである。図３は、カバー１８ａを取付対象の壁面に対して４本のビス２３，２３，‥‥によりネジ止めする場合の構成例を示す。ここではカード装着部１８に対してカードスロット１８ｂを設け、ＣＡＳカード１９を装着した状態でその一部がカード装着部１８より露出する構造をとっており、ＣＡＳカード１９がカード装着部１８に装着されていることがその外観から容易に視認できるものとしている。
【００３３】
図４は、上記図３に示した構成に加え、カード装着部１８の前面側に表示用ＬＥＤ２４，２４と操作スイッチ２５とを配設した場合の構成を示す。
【００３４】
表示用ＬＥＤ２４，２４としては、例えば電源のオン／オフ、予約実行中の有無、回線使用中の有無、電子番組表データ等のデータ取得中の有無、地上波放送／ＢＳ放送／ＣＳ放送の視聴バンド等の状態のうちのいずれかを点灯色と点灯／点滅のパターン等により表現することができる。
【００３５】
また操作スイッチ２５は、例えば電源のオン／オフスイッチ、リセットスイッチ等を設けることができる。
【００３６】
次いで主として上記チューナ部１４とモニタ部１３内の電子回路の概略構成について図５により説明する。同図で、外部の地上波アンテナ３０にて受信されたＲＦ（Ｒａｄｉｏ  Ｆｒｅｑｕｅｎｃｙ：搬送周波数）信号はチューナ部１４内のアナログチューナ３１及びデジタルチューナ３２に供給される。
【００３７】
アナログチューナ３１は、入力されたＲＦ信号中から任意の地上波アナログ放送の選局を行ない、当該チャンネルの中間周波信号を生成して映像復調部３３及び音声復調部３４へ供給する。
【００３８】
一方のデジタルチューナ３２も、入力されたＲＦ信号中から任意の地上波デジタル放送の選局を行ない、当該チャンネルの中間周波信号を映像復調部３３及び音声復調部３４へ供給する。
【００３９】
映像復調部３３は、アナログ放送の中間周波信号に対しては映像検波、映像増幅等の処理を行なうことでアナログの映像信号を復調し、ケーブル１５を介してモニタ部１３へ出力する。
【００４０】
また同映像復調部３３は、デジタル放送の中間周波信号に対して、アナログ波と同様の処理を行ない、さらにデジタル化処理により映像信号のＴＳ（Ｔｒａｓｐｏｒｔ  Ｓｔｒｅａｍ）を抽出した上で、上記カード装着部１８に装着されたＣＡＳカード１９と接続されるコピー制御処理部３５との間で、ＣＡＳカード１９に記憶されている解除キーに基づいたコピープロテクト処理を施すことで、１回のみコピー可能なデジタル値の映像信号を復調し、これをアナログ化した後にモニタ部１３を介してモニタ部１３へ出力する。
【００４１】
音声復調部３４は、アナログチューナ３１またはデジタルチューナ３２からの中間周波信号から音声検波、音声増幅等の処理を施してステレオの音声信号を復調し、ケーブル１５を介してモニタ部１３へ出力する。
【００４２】
モニタ部１３では、チューナ部１４の映像復調部３３からの映像信号に基づいてカラーＴＦＴ液晶パネルとその駆動回路とからなる表示部４１を動作させて表示を行なう一方で、音声復調部３４からの音声信号に基づいてスピーカとその駆動増幅回路とからなる放音部４２を動作させて拡声させる。
【００４３】
しかるに、このモニタ部１３のキー操作部４３でのキー操作信号は、ボリュームのアップ／ダウンキーの操作信号が放音部４２での増幅制御に供される他は、ケーブル１５を介してチューナ部１４の制御部３６へ送られる。
【００４４】
制御部３６は、主にモニタ部１３の上記キー操作部４３でのキー操作に応じて、チューナ部１４及びこのチューナ部１４に接続されたモニタ部１３とカード装着部１８を含む全体の動作制御を司る。
【００４５】
また、チューナ部１４とこれに接続されたモニタ部１３、カード装着部１８の全回路は電源回路３７から与えられる電力により動作する。この電源回路３７は、外部接続される電源からこのチューナ部１４、モニタ部１３及びカード装着部１８内の各回路に必要な複数の電圧値の直流電源を生成し、安定化した上で適宜供給する。
【００４６】
次に、上記カード装着部１８の具体的な構成についていくつか例を挙げて説明する。  
図６は、屋内配線の電気工事用壁面埋込みスイッチボックス（以下「住宅用スイッチボックス」と称する）を流用したポップアップ式のカード装着部１８の一構成例を示すものである。ここでは、３列分（ＡＣコンセント６口または９口）の住宅用スイッチボックス５１を用いており、「ＰＵＳＨ」と記された押しボタン５２を押圧操作することで、表面のカバー５３の一端が開き、内部のカードスロット５４に挿入されたＣＡＳカード１９の装脱を行なうことができるようになるものである。
【００４７】
図７は、上記住宅用スイッチボックス５１で用いられるボックス部分の内部構造を示す。図７（Ａ）は横長、図７（Ｂ）は縦長に設置した例を示すもので、いずれも電線用配管５６を介して上記ケーブル１７を住宅用スイッチボックス５１に導出しており、住宅用スイッチボックス５１内のケーブル１５の先端にはＣＡＳカード用コネクタ５７を形成している。このＣＡＳカード用コネクタ５７を上記カードスロット５４側に設けられる図示しないコネクタと接続することにより、カードスロット５４に装着される、ＩＣカードで構成されるＣＡＳカード１９の情報をチューナ部１４側で電気的に読取ることが可能となるる。
【００４８】
図８は、同じく住宅用スイッチボックスを流用したスライド式のカード装着部１８の一構成例を示すものである。図８（Ａ）は正面図、図８（Ｂ）は側断面図、図８（Ｃ）はＣＡＳカード１９を取り出す状態での側断面図である。ここでも、３列分の住宅用スイッチボックス６１を用いており、スライド式のカバー６２を開いてＣＡＳカード１９が見える状態とし、さらにヒンジ機構によりＣＡＳカード１９を装着しているカードスロット６３を斜めに引き出すことで、図８（Ｃ）中に矢印Ａで示す如くカードスロット６３に挿入されたＣＡＳカード１９の装脱を行なうことができるようになる。
【００４９】
図９は、同じく住宅用スイッチボックスを流用したスライド式のカード装着部１８の一構成例を示すものである。図９（Ａ）はカバーを閉じた正面図、図９（Ｂ）は同側断面図、図９（Ｃ）はカバーを開けてＣＡＳカード１９を取り出す状態での正面図である。ここでも、３列分の住宅用スイッチボックス６６を用いており、図９（Ｃ）に示すようにスライド式のカバー６７を開いてＣＡＳカード１９が見える状態とすることで、図９（Ｂ）に示すようにＣＡＳカード１９を装着しているカードスロット６８自体が壁面より突出しているため、カードスロット６８に挿入されたＣＡＳカード１９の装脱を任意に行なうことができるようになる。
【００５０】
上記のような構成にあっては、壁面設置型の浴室用テレビ受像装置を備えたバスユニット１０の構造で、ユーザが容易にＣＡＳカード１９を着脱することができ、且つ浴室外の室内にカード装着部１８を配設することで、ＣＡＳカード１９を常に安全な状態で取扱うことが可能となる。
【００５１】
また、一般的な住宅用スイッチボックスを流用することで、住宅建築時のコストを下げると共に、施行を容易にすることができる。
【００５２】
加えて、上記図４に示した如くカード装着部１８にチューナ部１４での所定の動作状態を表示する表示用ＬＥＤ２４，２４のような表示部を併設することで、例えば電源の投入状態を表示することで電源の切り忘れを浴室外でも容易に視認できるなど、装置自体の使い勝手をより向上することができる。
【００５３】
さらに、これも上記図４に示した如く、カード装着部１８にチューナ部１４での所定の動作状態を指示する操作スイッチ２５のような操作部を併設することで、例えば浴室外から電源の投入／切断を操作するなど、これも装置自体の使い勝手をより向上することができる。
【００５４】
なお、ＣＡＳカード１９としては、例えばホテルや短期賃貸マンション等の旅客施設での使用を前提とした法人契約の種類のものも想定されており、この種のＣＡＳカード１９では、契約者以外のユーザが任意にＣＡＳカード１９を装置に対して着脱することを阻止するような構造としておく必要を生じることになる。
【００５５】
以下、図１０乃至図１２を用いてそのような構成例についても説明する。  
図１０は、カード装着部１８にＣＡＳカード１９を装着した状態で、ヒンジ機構付きのカバー７１によりＣＡＳカード１９を完全に覆った状態とし、該ヒンジ機構の反対側で、専用の先端形状を有するスクリュドライバによる回動を必要とする特殊ネジ７２により該カバー７１をネジ止めすることで、不用意にＣＡＳカード１９をユーザが取り出してしまうのを阻止する構造としてものである。
【００５６】
また、図１１は、カード装着部１８にＣＡＳカード１９を装着した状態で、カバー７６によりＣＡＳカード１９を完全に覆った状態とし、一対の特殊ネジ７７，７７により該カバー７６をネジ止めすることで、不用意にＣＡＳカード１９をユーザが取り出してしまうのを阻止する構造としてものである。
【００５７】
さらに、図１２は、ＣＡＳカード１９を挿入するカードスロット８１自体を、カード装着部１８に対して正逆１８０°向きを変えていずれの方向にでも嵌装できる構造とした場合を例示するもので、図１２（Ａ）はＣＡＳカード１９の装脱が可能な状態、図１２（Ｂ）はＣＡＳカード１９の装脱が不可能な状態を示す。図１２（Ｂ）に示すようにそのままではＣＡＳカード１９の装脱が不可能な状態とし、且つ外観からは装着されているＣＡＳカード１９が視認できない構造とすれば、ユーザがＣＡＳカード１９の存在に気づくこともなく、不用意にＣＡＳカード１９が着脱されてしまうような事態を未然に回避できる可能性が高くなる。
【００５８】
このように、あえてＣＡＳカード１９の着脱を阻止するような構造を採ることで、ホテルや、短期賃貸マンション、アパート等の所有者が契約する法人向けのＣＡＳカードのように、本来権限を持たないユーザが無闇にＣＡＳカードの着脱を行なってしまうのを未然に防止することができる。
【００５９】
なお、本発明は上記実施の形態に限らず、その要旨を逸脱しない範囲内で種々変形して実施することが可能であるものとする。
【００６０】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００６１】
【図１】本発明の実施の一形態に係るユニットバスの全体構成を示す斜視図。
【図２】同実施の形態に係る浴室構造を実際の家屋に施行した場合の一具体例を示す図。
【図３】同実施の形態に係るカード装着部の別の構成例を示す斜視図。
【図４】同実施の形態に係るカード装着部の別の構成例を示す斜視図。
【図５】同実施の形態に係るチューナ部とモニタ部の電子回路の概略構成を示すブロック図。
【図６】同実施の形態に係るカード装着部の具体的な構成例を示す図。
【図７】同実施の形態に係るカード装着部の具体的な構成例を示す図。
【図８】同実施の形態に係るカード装着部の具体的な構成例を示す図。
【図９】同実施の形態に係るカード装着部の具体的な構成例を示す図。
【図１０】同実施の形態に係るカード装着部の具体的な構成例を示す図。
【図１１】同実施の形態に係るカード装着部の具体的な構成例を示す図。
【図１２】同実施の形態に係るカード装着部の具体的な構成例を示す図。
【符号の説明】
【００６２】
１０…バスユニット、１１…扉、１２…バスタブ、１３…モニタ部、１４…チューナ部、１５…ケーブル、１６…点検口、１７…ケーブル、１８…カード装着部、１８ａ…カバー、１８ｂ…カードスロット、１９…ＣＡＳカード、２１…浴室壁面、２２…隣室壁面、２３…ビス、２４…表示用ＬＥＤ、２５…操作スイッチ、３０…地上波アンテナ、３１…アナログチューナ、３２…デジタルチューナ、３３…映像復調部、３４…音声復調部、３５…コピー制御処理部、３６…制御部、３７…電源回路、４１…表示部、４２…放音部、４３…キー操作部、５１…住宅用スイッチボックス、５２…押しボタン、５３…カバー、５４…カードスロット、５６…電線用配管、５７…ＣＡＳカード用コネクタ、６１…住宅用スイッチボックス、６２…カバー、６３…カードスロット、６６…住宅用スイッチボックス、６７…カバー、６８…カードスロット、７１…カバー、７２…特殊ネジ、７６…カバー、７７…特殊ネジ、８１…カードスロット。
【図１】
2008022350.tif 000003
【図２】
2008022350.tif 000004
【図３】
2008022350.tif 000005
【図４】
2008022350.tif 000006
【図５】
2008022350.tif 000007
【図６】
2008022350.tif 000008
【図７】
2008022350.tif 000009
【図８】
2008022350.tif 000010
【図９】
2008022350.tif 000011
【図１０】
2008022350.tif 000012
【図１１】
2008022350.tif 000013
【図１２】
2008022350.tif 000014